(57)【要約】      （修正有）【課題】封入されたカートリッジと、遠位部と、近位部とを備える、カートリッジホルダアセンブリを提供する。【解決手段】封入されたカートリッジは、長手方向軸を画定し、概して円筒形の主部１２１と、外周肩部を伴う首部１２２を有する遠位出口部と、外周縁部に取り囲まれた開口を有する近位部とを備える。遠位部２１０は、カートリッジ首部１２２と係合し、かつ、遠位方向への動きに抗してカートリッジを支持するよう適合している、遠位支持構造体２２５を備え、近位部は、カートリッジ外周縁部と係合し、かつ、近位方向への動きに抗してカートリッジを支持するよう適合している、近位支持構造体を備える。近位支持構造体は基本的に変形せず、カートリッジ首部１２２と係合する遠位支持構造体２２５は塑性変形する。【選択図】図５
2022000146.tif 000002
【特許請求の範囲】
【請求項１】
長手方向軸を画定し、かつ、概して円筒型の主部（１２１）と、外周肩部を伴う首部（１２２）を有する遠位出口部と、外周縁部（１２５）に取り囲まれた開口を有する近位部とを備える、封入されたカートリッジ（１２０）と、
前記カートリッジ首部と係合し、かつ、遠位方向への動きに抗して前記カートリッジを支持するよう適合している、遠位支持構造体（２２５）を備える、遠位部（２１０）と、
前記カートリッジ外周縁部と係合し、かつ、近位方向への動きに抗して前記カートリッジを支持するよう適合している、近位支持構造体（２３５）を備える、近位部とを備える、カートリッジホルダアセンブリであって、
前記近位支持構造体は弾性変形するだけであり、
前記遠位支持構造体は塑性変形する、カートリッジホルダアセンブリ。
【請求項２】
前記近位支持構造体は基本的に変形しない、請求項１に記載のカートリッジホルダアセンブリ。
【請求項３】
前記遠位支持構造体が軸方向に配向されたいくつかのリブ部（２２５）の形態であり、各リブ部は前記カートリッジ肩部と係合するよう適合した近位自由端部を備え、前記端部の少なくとも一部分が変形する、請求項１又は２に記載のカートリッジホルダアセンブリ。
【請求項４】
前記近位支持構造体が、前記カートリッジ縁部と係合するよう適合した、軸方向に配向されたいくつかのリブ部（２３５）の形態である、請求項１から３のいずれか一項に記載のカートリッジホルダアセンブリ。
【請求項５】
前記近位支持構造体が、前記カートリッジ縁部と係合するよう適合したいくつかの外周セグメントの形態である、請求項１から３のいずれか一項に記載のカートリッジホルダアセンブリ。
【請求項６】
前記遠位支持構造体が前記遠位カートリッジホルダ部と一体的に形成され、かつ／又は、前記近位支持構造体が前記近位カートリッジホルダ部と一体的に形成される、請求項１から５のいずれか一項に記載のカートリッジホルダアセンブリ。
【請求項７】
前記カートリッジホルダの近位部（２３０）と遠位部（２１０）とが互いに取り外し不可に接続される、請求項１から６のいずれか一項に記載のカートリッジホルダアセンブリ。
【請求項８】
前記カートリッジホルダ遠位部が、前記カートリッジ主部が内部に配置される管状主部（２１０）を備える、請求項１から７のいずれか一項に記載のカートリッジホルダアセンブリ。
【請求項９】
前記カートリッジホルダが概して円筒型である、請求項１から８のいずれか一項に記載のカートリッジホルダアセンブリ。
【請求項１０】
前記カートリッジホルダがガラスから製造される、請求項１から９のいずれか一項に記載のカートリッジホルダアセンブリ。
【請求項１１】
前記近位部がねじ穴（２３２）を備える、請求項１から１０のいずれか一項に記載のカートリッジホルダアセンブリ。
【請求項１２】
薬剤送達装置の一部を形成するカートリッジホルダアセンブリであって、前記薬剤送達装置が、
前記カートリッジから設定用量を吐出するための薬剤吐出手段を備える、請求項１から１１のいずれか一項に記載のカートリッジホルダアセンブリ。
【請求項１３】
薬剤送達装置の一部を形成するカートリッジホルダアセンブリであって、前記薬剤送達装置が用量設定手段を更に備える、請求項１２に記載のカートリッジホルダアセンブリ。
【請求項１４】
カートリッジホルダアセンブリを組み立てる方法であって、
（ｉ）長手方向軸を画定し、かつ、概して円筒型の主部（１２１）と、外周肩部を伴う首部（１２２）を有する遠位出口部と、外周縁部（１２５）に取り囲まれた開口を有する近位部とを備える、カートリッジ（１２０）を提供するステップと、
（ｉｉ）前記カートリッジ首部と係合し、かつ、遠位方向への動きに抗して前記カートリッジを支持するよう適合した、遠位支持構造体を備える、遠位カートリッジホルダ部（２１０）と、前記カートリッジ外周縁部と係合し、かつ、近位方向への動きに抗して前記カートリッジを支持するよう適合した、近位支持構造体（２３５）を備える、近位カートリッジホルダ部（２３０）とを提供するステップであって、前記２つのカートリッジホルダ部の一方が、前記カートリッジ主部を軸方向に受容するよう適合した管状部を備える、ステップと、
（ｉｉｉ）前記カートリッジを前記管状部内に挿入するステップと、
（ｉｖ）前記遠位カートリッジホルダ部と前記近位カートリッジホルダ部とを組み立てることによって、前記遠位支持構造体を塑性変形させるステップであって、前記近位支持構造体は弾性変形するだけである、ステップとを含む、カートリッジホルダアセンブリを組み立てる方法。
【請求項１５】
前記近位支持構造体は基本的に変形しない、請求項１４に記載のカートリッジホルダアセンブリを組み立てる方法。
【発明の詳細な説明】
【技術分野】
【０００１】
本発明は、一定量の薬剤を経皮送達に適合した医療用送達装置に関する。特定の一態様では、本発明は、薬剤送達装置と組み合わされて使用されるか、又は薬剤送達装置の一部を形成する、薬剤カートリッジ用のホルダに関する。
【背景技術】
【０００２】
本発明の開示では、主としてインスリンの送達による糖尿病治療に言及するが、これは本発明の例示的な一使用に過ぎない。
【０００３】
薬剤注射装置の形態の薬剤送達装置は、薬剤及び生物学的製剤を自己投与する必要がある患者の生活を大いに改善してきた。薬剤注射装置は、注射手段を伴うアンプルと大差ない単純な使い捨て装置を含む、多くの形態をとりうるか、又は、高度に洗練され、電気的に制御された多機能器具でありうる。薬剤注射装置は、その形態に関わらず、患者による注射薬及び生物学的製剤の自己投与を支援する上で大いに役立つことが分かっている。また、薬剤注射装置は、自己注射を実施できない人々に対する注射剤の投与において、介護者を大いに支援するものである。
【０００４】
特にペン型注射装置は、インスリンなどの薬剤及び生物学的製剤を投与するための、正確で使いやすく、多くの場合個別的（ｄｉｓｃｒｅｔｅ）な方法を、提供することが分かっている。ペン型注射装置は、典型的には、円筒型であり、装着された針が装置の一端の最遠位部から突出しているものであるが、デンマーク、ＢａｇｓｖaｒｄのＮｏｖｏ  Ｎｏｒｄｉｓｋ  Ａ／ＳによるＩｎｎｏｖｏ（登録商標）及びＩｎｎｏＬｅｔ（登録商標）などの一部の装置は、他の形状を有し、針が装置の一端の最遠位部から突出しなくなっている。
【０００５】
典型的には、注射装置は、１．５ｍｌ又は３．０ｍｌのインスリン、或いは成長ホルモンなどの対象の薬物を内包する充填済みのカートリッジを使用する。カートリッジは、典型的には、概して円筒型の透明ガラス製シリンダの形態であり、このシリンダは、遠位開口が針穿刺可能な隔壁によって閉鎖されている遠位ボトルネック部と、反対側の近位開口とを有し、近位開口内には弾性ピストンが受容される。このピストンは、注射装置の投薬（ｄｏｓｉｎｇ）機構によって動かされるよう、配置されている。注射装置は、概括的に、「耐久型」装置と「使い捨て」装置との、２つの種類のものである。耐久型装置は、ユーザが、１つのカートリッジを別のカートリッジに、典型的には、空のカートリッジの代わりに新しいカートリッジに、交換することを可能にするよう設計される。対照的に、使い捨て装置には、ユーザが交換できない一体的なカートリッジが設けられ、カートリッジが空になると装置全体が廃棄される。
【０００６】
注射装置の、カートリッジを受容し保持する部分は、従来カートリッジホルダと称されており、主に、吐出機構のピストンロッドに対してカートリッジを位置付け、カートリッジをしっかりと保持する役割を果たす。特に、投薬精度のためには軸方向の固定が重要である。そのため、「完全型」カートリッジホルダは、円筒型本体部と、カートリッジの遠位部と係合する遠位部と、カートリッジの近位部と係合する近位部とを備える。しかし、典型的には、「カートリッジホルダ（ｃａｒｔｒｉｄｇｅ  ｈｏｌｄｅｒ）」という用語は、主部と遠位部の両方を一体的に形成し、かつ、カートリッジが遠位方向に挿入される近位開口を有する、管状部材に適用される。カートリッジホルダはカートリッジを受容した後に、注射装置の主部（すなわち、吐出機構を備える部分）に装着され、この主部が次いで、カートリッジと係合する。この方法で、カートリッジホルダアセンブリが形成される。
【０００７】
代替的には、カートリッジホルダの円筒型本体部は、注射装置の主部の遠位管状延長部によって形成されうる。この遠位管状延長部内にカートリッジが近位方向に挿入され（すなわち前方搭載）、カートリッジホルダは、例えば単純なプラグ部、又はより手の込んだ作動可能閉鎖機構でありうる、遠位閉鎖部材によって閉鎖される。
【０００８】
更なる代替例では、カートリッジホルダは、完全独立型のサブアセンブリを形成する。このサブアセンブリ内にカートリッジが完全に封入され、続いてサブアセンブリが注射装置の主部に装着される。かかるアセンブリには、ピストンロッドなどの吐出機構の部分が設けられてもよく、この部分は次いで、それ以外の部分であるピストンロッド駆動機構と連動する（例えばＥＰ  １  ４５８  ４４０参照）。
【０００９】
自明であるように、耐久型注射装置ではカートリッジホルダが解除可能な連結部材を使用して装着される一方、使い捨ての充填済み装置では、カートリッジホルダは装置の主部に恒久的に装着される。ガラス製カートリッジは長さに対して比較的大きな公差（例えば０．５ｍｍ）を有して製造されることから、カートリッジホルダはこの変動に適応する必要がある。ゆえに、耐久型装置では、カートリッジは、典型的には、ＵＳ２０１２／０１４３１４３で開示されているように、ばね又は可撓性アームなどの弾性変形可能手段によって、軸方向に定位置に保持される。ＵＳ  ２００９／０３１２７１５は、遠位センタリング構造を備える耐久型カートリッジホルダを開示している。対照的に、使い捨て装置では塑性変形係合構造が利用されうる。
【００１０】
上述の種類のカートリッジホルダは、典型的には、ガラス製カートリッジであって、それ自体は注射装置との直接接続を可能にする連結手段を備えない、カートリッジを保持するよう設計される。しかし、薬剤カートリッジがポリマー材料から製造される場合、連結手段がカートリッジ自体と一体的に形成されうる。そのため、従来型のカートリッジホルダは不要になりうる。
【００１１】
上記を考慮するに、本発明の１つの目的は、薬剤充填カートリッジが、コスト効率の良い方法で、安全かつ確実に薬剤送達装置内に装着されることを可能にする、構成要素、装置及び方法を提供することである。薬剤充填ガラス製カートリッジが、コスト効率の良い方法で、安全かつ確実に、使い捨ての薬剤送達装置内に装着されることを可能にする手段を提供することが、本発明の具体的な目的である。
【発明の概要】
【００１２】
本発明の開示では、上記の一又は複数の目的に向けての、或いは、下記の開示から並びに例示的な実施形態の説明から明らかになる目的に向けての、実施形態及び態様について説明する。
【００１３】
ゆえに、本発明の第１態様では、封入されたカートリッジと、遠位部と、近位部とを備える、カートリッジホルダアセンブリが提供される。封入されたカートリッジは、長手方向軸を画定し、かつ、概して円筒型の主部と、外周肩部を伴う首部を有する遠位出口部と、外周縁部に取り囲まれた開口を有する近位部とを備える。遠位部は、カートリッジ首部と係合し、かつ、遠位方向への動きに抗してカートリッジを支持するよう適合している、遠位支持構造体を備え、近位部は、カートリッジ外周縁部と係合し、かつ、近位方向への動きに抗してカートリッジを支持するよう適合している、近位支持構造体を備える。近位支持構造体は弾性変形するだけであり、遠位支持構造体は塑性変形する。カートリッジはガラスから製造されうる。近位支持構造体は基本的に変形しない（軸方向に０．３ｍｍ未満、０．２ｍｍ未満、又は０．１ｍｍ未満など）ものでありうる。
【００１４】
この構成によって、組み立て中及び取り扱い中にカートリッジに作用する一点集中力（ｐｕｎｃｔｕａｌ  ｆｏｒｃｅｓ）が首部の傾斜した外周肩部に作用し、このことによって、カートリッジが、コスト効率の良い方法で、カートリッジホルダ内に確実に装着されうることになる。
【００１５】
遠位支持構造体は軸方向に配向されたいくつかのリブ部の形態であってよく、各リブ部はカートリッジ肩部と係合するよう適合した近位自由端部を備え、その端部の少なくとも一部分が変形する。
【００１６】
近位支持構造体は、カートリッジ縁部と係合するよう適合した、軸方向に配向されたいくつかのリブ部の形態でありうる。近位支持構造体は、カートリッジ縁部と係合するよう適合した、いくつかの外周セグメントの形態でもありうる。
【００１７】
遠位支持構造体が遠位カートリッジホルダ部と一体的に形成されてよく、かつ／又は、近位支持構造体が近位カートリッジホルダ部と一体的に形成されうる。
【００１８】
例示的な一実施形態では、カートリッジホルダの遠位部と近位部とは、互いに取り外し不可に接続される。カートリッジホルダ遠位部は、カートリッジ主部が内部に配置される、管状主部を備えうる。カートリッジホルダは概して円筒型であってよく、近位部は、対応するねじ式ピストンロッドを受容するよう適合したねじ穴を備えてよく、これにより、薬剤吐出機構の一部を形成しうる。
【００１９】
上述のカートリッジホルダアセンブリは、カートリッジから設定用量を吐出するための薬剤吐出手段を備える薬剤送達装置の一部を形成しうる。この装置は、一定用量装置でありうるか、又は、ユーザが吐出される所望の用量を設定することを可能にする、用量設定手段を備えうる。
【００２０】
本発明の第２態様では、カートリッジホルダアセンブリを組み立てる方法が提供され、この方法は、（ｉ）長手方向軸を画定し、かつ、概して円筒型の主部と、外周肩部を伴う首部を有する遠位出口部と、外周縁部に取り囲まれた開口を有する近位部とを備える、カートリッジを提供するステップと、（ｉｉ）カートリッジ首部と係合し、かつ、遠位方向への動きに抗してカートリッジを支持するよう適合した、遠位支持構造体を備える、遠位カートリッジホルダ部と、カートリッジ外周縁部と係合し、かつ、近位方向への動きに抗してカートリッジを支持するよう適合した、近位支持構造体を備える、近位カートリッジホルダ部とを提供するステップであって、これら２つのカートリッジホルダ部の一方が、カートリッジ主部を軸方向に受容するよう適合した管状部を備える、ステップとを含む。方法は、（ｉｉｉ）カートリッジを管状部内に挿入するステップと、（ｉｖ）遠位と近位のカートリッジホルダ部を組み立てることによって、遠位支持構造体を塑性変形させるステップであって、近位支持構造体は弾性変形するだけである、ステップとを、更に含む。近位支持構造体は基本的に変形しないものでありうる。
【００２１】
本発明の更なる態様では、封入されたカートリッジと、遠位部と、近位部とを備える、カートリッジホルダアセンブリが提供される。封入されたカートリッジは、長手方向軸を画定し、かつ、概して円筒型の主部と、外周肩部を伴う首部を有する遠位出口部と、外周縁部に取り囲まれた開口を有する近位部とを備える。遠位部は、カートリッジ首部と係合し、かつ、遠位方向への動きに抗してカートリッジを支持するよう適合している、遠位支持構造体を備え、近位部は、カートリッジ外周縁部と係合し、かつ、近位方向への動きに抗してカートリッジを支持するよう適合している、近位支持構造体を備える。近位支持構造体は基本的に変形せず、遠位支持構造体は塑性変形する。カートリッジはガラスから製造されうる。
【００２２】
この構成によって、組み立て中にカートリッジに作用する一点集中力が、塑性変形が起こる実施形態と比較して、低減する。
【００２３】
遠位支持構造体は軸方向に配向されたいくつかのリブ部の形態であってよく、各リブ部はカートリッジ肩部と係合するよう適合した近位自由端部を備え、その端部の少なくとも一部分が変形する。
【００２４】
近位支持構造体は、カートリッジ縁部と係合するよう適合した、軸方向に配向されたいくつかのリブ部の形態でありうるか、又は、カートリッジ縁部と係合するよう適合した、いくつか外周セグメントの形態でありうる。
【００２５】
遠位支持構造体が遠位カートリッジホルダ部と一体的に形成されてよく、かつ／又は、近位支持構造体が近位カートリッジホルダ部と一体的に形成されうる。
【００２６】
例示的な一実施形態では、カートリッジホルダの遠位部と近位部とは、互いに取り外し不可に接続される。カートリッジホルダ遠位部は、カートリッジ主部が内部に配置される管状主部を備えうる。カートリッジホルダは概して円筒型であってよく、近位部は、対応するねじ式ピストンロッドを受容するよう適合したねじ穴を備えてよく、これにより、薬剤吐出機構の一部を形成しうる。
【００２７】
上述のカートリッジホルダアセンブリは、カートリッジから設定用量を吐出するための薬剤吐出手段を備える薬剤送達装置の一部を形成しうる。この装置は、一定用量装置でありうるか、又は、ユーザが吐出される所望の用量を設定することを可能にする、用量設定手段を備えうる。
【００２８】
本発明のまた更なる態様では、上述の方法に類似した、カートリッジホルダアセンブリを組み立てる方法が提供され、その相違点は、遠位と近位のカートリッジホルダ部が組み立てられることにより、遠位支持構造体を弾性変形させ、近位支持構造体は基本的に変形しないことである。
【００２９】
本書において、「インスリン（ｉｎｓｕｌｉｎ）」という用語は、液体、溶液、ゲル又は微細懸濁液などの制御された様態でカニューレ又は中空針といった送達手段を通過可能であり、かつ、血糖値制御効果を有する任意の薬剤含有流動可能薬物、例えばヒトインスリン及びその類似体、並びに、ＧＬＰ−１及びその類似体等の非インスリンを包含することを、意味する。例示的な実施形態の説明では、インスリンの使用への言及がなされる。
【００３０】
下記の実施形態においては、図面を参照して本発明について説明する。
【図面の簡単な説明】
【００３１】
【図１Ａ】薬剤送達装置の一実施形態を示す。
【図１Ｂ】薬剤送達装置の一実施形態を示す。
【図２】カートリッジホルダアセンブリの断面図を示す。
【図３】図２のカートリッジホルダアセンブリの遠位部を詳細に示す。
【図４】図２のカートリッジホルダアセンブリの近位部を詳細に示す。
【図５】更なるカートリッジホルダアセンブリの遠位部の断面図を示す。
【図６】更なるカートリッジホルダアセンブリの近位部の断面図を示す。
【発明を実施するための形態】
【００３２】
図面では、類似の構造体を主に類似の参照番号によって特定する。
【００３３】
下記において、「上方（ｕｐｐｅｒ）」及び「下方（ｌｏｗｅｒ）」、「右（ｒｉｇｈｔ）」及び「左（ｌｅｆｔ）」、「水平（ｈｏｒｉｚｏｎｔａｌ）」及び「垂直（ｖｅｒｔｉｃａｌ）」などの用語、又は類似の相対表現が使用される場合、これらは付随する図面にのみ言及するものであり、必ずしも実際の使用状況を表すものではない。示されている図面は概略表現であるため、種々の構造体の構成、並びにそれらの相対的寸法は、例示目的の役割を果たすことのみを意図している。所与の構成要素に対して部材又は要素という用語が使用される場合、その用語は概括的に、説明されている実施形態においてその構成要素が一体型構成要素であることを示すが、代替的には、説明されている構成要素のうちの２つ以上が一体型構成要素として提供され（例えば単一射出成型部品として製造され）うる場合のように、同じ部材又は要素がいくつかの副構成要素を備えうる。「組み立て・アセンブリ（ａｓｓｅｍｂｌｙ）」という用語は、説明されている構成要素が所与の組立手順において必然的に一体型の又は機能的なアセンブリを提供するよう組み立てられうることを暗示するのではなく、単に、機能的により密接に関連したものとしてグループ化された構成要素を説明するために使用される。
【００３４】
本発明の実施形態自体を参照する前に、再設定可能なダイヤルアップ／ダイヤルダウン自動薬剤送達装置の「ジェネリックな（ｇｅｎｅｒｉｃ）」従来技術の一例について説明する。かかる装置は、本発明の例示的な実施形態のための基礎を提供する。
【００３５】
ペン装置１００は、キャップ部１０７と主部とを備えており、主部が、薬剤吐出機構が内部に配置され又は組み込まれたハウジング１０１を有する近位本体部又は駆動アセンブリ部と、遠位カートリッジホルダ部とを有し、この遠位カートリッジホルダ部内で、遠位針貫通可能隔壁を有する薬剤充填透明カートリッジ１２０が、近位部に取り付けられたカートリッジホルダによって定位置に配置されて保持され、カートリッジホルダは、カートリッジの一部分の視認を可能にする、一対の対向開口１１１を有する。遠位連結手段１１５は、針アセンブリが、カートリッジ内部と流体連通するように、取り外し可能に装着されることを可能にする。カートリッジには、吐出機構の一部を形成するピストンロッドによって駆動されるピストンが設けられ、カートリッジは例えば、インスリン、ＧＬＰ−１、又は成長ホルモン製剤を内包しうる。最近位回転可能用量設定部材１８０は、表示窓１０２内に示される所望の薬剤用量を手動で設定するよう作用し、次いで、ボタン１９０が押されると、この所望の薬剤用量が吐出されうる。薬剤送達装置において具現化される吐出機構の種類に応じて、吐出機構は、用量設定中に引っ張られ、次いで、解放ボタンが押されると弛緩してピストンロッドを駆動する、実施形態に図示しているようなねじりばねを備えうる。より具体的には、用量設定中に、ばねに接続されている駆動部材が、設定用量に対応する回転位置へと回転することによって、付勢状態になる。用量サイズ数字を有するスケールドラムは、その時点で設定されている用量サイズが標示窓内に示されるように、例えばハウジングとのねじ式接続を用いて、駆動部材に連結される。駆動部材の回転を防止するために、用量設定機構には保持機構が設けられ、この保持機構は、図示されている実施形態では、ラチェット機構の形態である。ユーザが設定用量の吐出を望む時には、ボタンが押され、それによって、駆動部材がピストンロッド駆動機構と係合し、続いて保持機構が解放されることになる。
【００３６】
図１Ａ及び図１Ｂは、充填済みの種類の薬剤送達装置を示している（すなわち、この薬剤送達装置は、事前装着されたカートリッジと共に供給され、カートリッジが空になると廃棄される）が、代替的な実施形態では、薬剤送達装置は、例えばカートリッジホルダ内に装着されたカートリッジを備えるカートリッジアセンブリの形態のカートリッジアセンブリの、交換を可能にするよう設計された耐久型装置でありうる。かかるアセンブリには、事前装着されたピストンロッドが更に設けられうる。
【００３７】
図５及び図６の本発明の例示的な一実施形態を参照する前に、図１Ａ及び図１Ｂの薬剤送達装置の従来技術のカートリッジホルダ部について、図２から図４を参照して、より詳細に説明する。自明であるように、図２から図６には直立したカートリッジホルダを示しているが、遠位出口を有する手持ち式の薬剤送達装置について説明する際に使用する、通常の遠位−近位という用語を利用して説明する。
【００３８】
より具体的には、図２は、管状主部材１１０と、それに取り付けられた近位閉鎖部材１３０とを備える、カートリッジホルダアセンブリ１５０の断面図を示しており、これら２つの部材は、組み合わされて封入体を形成し、この封入体の中で、薬剤充填カートリッジ１２０が定位置に装着され、保持される。
【００３９】
図３及び図４を参照するに、カートリッジ１２０は、近位開口及び外周近位端部（又は縁部）１２５を有する管状主部１２１、遠位開口及び外周フランジ１２３を有する遠位部、並びに、それらの間に配置された、傾斜した肩部を有する首部１２２を備える。ピストン部材１２９が、管状主部内に摺動可能に受容される。遠位開口は、針貫通可能隔壁部材１２４で閉鎖され、針貫通可能隔壁部材１２４は、図示されている実施形態では、異なるゴム材料の２つの層を備え、かつ、金属キャップ１２６によって定位置に保持される。金属キャップ１２６は、遠位フランジ部の外周を把持することによって、隔壁部材をカートリッジとの密封係合に保持するものであり、針が隔壁部材を貫通することを可能にする中心開口を備える。
【００４０】
カートリッジホルダ管状主部材１１０は、カートリッジが受容されることを可能にする内径を有する管状主部、遠位連結部１１５、遠位部と主部との間の首部１１７、並びに、近位連結部を備える。遠位連結部は、針アセンブリのための外側連結部材１１５（図２参照）を伴う、概して管状の構成を有し、中心開口が内向きに突出している遠位フランジ１１６に取り囲まれており、遠位部が、カートリッジの遠位キャップ部をスナッグ嵌合（ｓｎｕｇ  ｆｉｔ）で受容するよう適合している。近位連結部は、外周外側フランジ１１９と、装置ハウジング部材１０１と係合するよう適合した第１外周連結部１１２と、閉鎖部材１３０と係合するよう適合した第２最近位外周連結部１１３とを備える。
【００４１】
閉鎖部材１３０は、底部を有する概して椀型の構成を有し、この底部から、連結スカート部１３３が遠位方向に延在し、かつ、内部ねじ山（１３２）を有する中心ナット部１３１が近位方向に延在する。連結スカート部はカートリッジホルダと係合するよう適合しており、ナットねじ山は、ねじ式ピストンロッドを受容するよう適合し、ゆえに、薬剤送達装置の吐出機構の一部を形成する。底部から、いくつかの径方向リブ１３５（ここでは４つ）が遠位方向に延在し、各リブは、カートリッジ近位端部と係合するよう適合した自由遠位端部を有する。自由端部は、カートリッジをセンタリングするのに役立つよう、傾斜している。閉鎖部材は、装置ハウジング部材１０１と係合するよう適合した、外周連結突起１３６を更に備える。
【００４２】
組み立て中に、閉鎖部材１３０が装置ハウジング部材１０１内に挿入される。カートリッジはカートリッジホルダ主部材１１０内に挿入され、それにより、カートリッジ金属キャップ１２６が、カートリッジホルダ遠位フランジ１１６に当接する。続いて、カートリッジホルダ主部材は、ハウジング部材内に挿入され、それにより、閉鎖部材１３０とハウジングの両方をロック係合に係合する。それによって、ハウジングリブ１３０が、カートリッジ近位端部１２５と係合する。カートリッジホルダ遠位フランジと保持リブの遠位端部との間の距離がカートリッジの最小長さよりも短いことから、組み立てによりリブが塑性変形されることになり、このことが、図２及び図４に示すように（変形したリブをカートリッジ端部に重なっているように示している）、カートリッジがその軸方向位置にしっかりと保持されることを確実にする。カートリッジホルダ主部材と閉鎖部材は、スナップ連結、接着、溶接、又はこれらの組み合わせを用いて組み立てられうる。
【００４３】
自明であるように、ガラス製カートリッジに作用する近位方向に向いた力が、金属キャップ及び隔壁を介して遠位フランジ１２３の外周全体に分散される一方、ガラス製カートリッジに作用する遠位方向に向いた力は、４つの保持リブ１３５に対応する４点に集中する。
【００４４】
図５及び図６を参照して、本発明の例示的な一実施形態について説明する。自明であるように、カートリッジホルダアセンブリのこの例示的な実施形態は、上述の従来技術のアセンブリをリサンプル（ｒｅｓａｍｐｌｅ）しており、ゆえに、首部２２７を有する管状主部材２１０と組み合わされたカートリッジ１２０と、近位閉鎖部材２３０とを備える。本発明のこの例示的な実施形態は、主に２つの態様において、従来技術とは異なる。遠位では、カートリッジホルダ首部２１７には、近位方向に延在するいくつかの径方向遠位保持リブ２２５（ここでは３つ）であって、各リブが傾斜したカートリッジ肩部１２２と係合するよう適合した自由近位傾斜端部を有する、径方向遠位保持リブ２２５が設けられた。近位では、カートリッジ近位縁部と係合するよう適合した部分の傾斜をなくし、これにより、カートリッジ近位端部が閉鎖部材によって支持されることが可能になるように、近位保持リブ１３５をより厚く、それにより一層強くすることによって、閉鎖部材が改変された。代替的には、縁部は、より幅広の外周セグメントによって、又は単一面によって、支持されうる。
【００４５】
そのため、図２から図４を参照して上記で説明したようにカートリッジホルダ２１０、２３０が組み立てられる時に、遠位保持リブ２２５が、カートリッジ首部１２２に当たって塑性変形する（図５は変形したリブをカートリッジのくびれに重なっているように示している）一方、近位保持リブは、塑性変形することなくカートリッジを支持する。実際のところ、遠位リブは、ある程度までは、弾性変形もする。結果として、ガラス製カートリッジに作用する遠位方向に向いた力が近位端部の外周全体に分散される一方、近位方向に向いた力は、３つの遠位保持リブ２２５に対応する、カートリッジ首部１２２の３点に集中する。図５には図示していないが、金属キャップ２２６は通常、カートリッジホルダ遠位フランジ２１６から若干離間する。
【００４６】
この新たな構成によって、ガラス製カートリッジに作用する一点集中力が、近位端部から首部の傾斜した外周肩部に移転されている。このことにより、組み立て中並びに取扱い中の、例えば、薬剤送達装置が高所から落下した時に印加される力に、より良好に耐えることが見込まれる。この方法において、破砕するガラス製カートリッジの数が減少しうる。
【００４７】
例示的な実施形態の上記の説明では、説明している機能を種々の構成要素に提供する種々の構造及び手段について、本発明の概念が当業者に明確になる程度に説明した。種々の構成要素のための詳細な構造及び仕様は、本明細書の規定に沿って当業者により実施される、通常の設計手順の目的と見なされる。
【図１Ａ】
2022000146.tif 000003
【図１Ｂ】
2022000146.tif 000004
【図２】
2022000146.tif 000005
【図３】
2022000146.tif 000006
【図４】
2022000146.tif 000007
【図５】
2022000146.tif 000008
【図６】
2022000146.tif 000009
【外国語明細書】
2022000146000001.pdf